(57)【要約】【課題】  酸解離定数が２以上の弱酸、糖、アルコール、アミノ酸からなる群より選ばれる１種又は２種以上を高濃度含む水溶液中に共存する１０ｐｐｍ以下の微量な陰イオン及び／又は陽イオンの分離分析に関して、１本の分離カラムと１種類の溶離液を用いて、迅速かつ簡便な分離分析方法を提供すること。【解決手段】  酸解離定数が２以上の弱酸、糖、アルコール、アミノ酸からなる群より選ばれる１種又は２種以上を含む水溶液中の陰イオン及び／又は陽イオンを測定するに際し、イオンクロマトグラフィーにより、弱酸性の陽イオン交換分離カラムと、弱酸の溶離液を用いることを特徴とする高濃度試料中のイオン分離分析方法を提供する。【選択図】  図２
2005127739.tif 000002
【特許請求の範囲】
【請求項１】
酸解離定数が２以上の弱酸、糖、アルコール、アミノ酸からなる群より選ばれる１種又は２種以上を含む水溶液中の陰イオン及び／又は陽イオンを測定するに際し、イオンクロマトグラフィーにより、弱酸性の陽イオン交換分離カラムと、弱酸性の溶離液を用いることを特徴とする高濃度試料中のイオン分離分析方法。
【請求項２】
弱酸性の溶離液が、酒石酸、酪酸、フタル酸、サリチル酸、クエン酸、スルホサリチル酸からなる群より選ばれる１種又は２種以上を用いることを特徴とする請求項１記載の高濃度試料中のイオン分離分析方法。
【請求項３】
弱酸性の溶離液が、酒石酸、酪酸、フタル酸、サリチル酸、クエン酸、スルホサリチル酸からなる群より選ばれる１種又は２種以上と、クラウンエーテルを混合して用いることを特徴とする請求項２に記載の高濃度試料中のイオン分離分析方法。
【請求項４】
水溶液が、酸解離定数が２以上である酢酸、ギ酸、プロピオン酸、グリコール酸、乳酸、フッ酸からなる群より選ばれる１種又は２種以上の弱酸を含む水溶液であることを特徴とする請求項１記載の高濃度試料中のイオン分離分析方法。
【請求項５】
水溶液の濃度が１重量％以上であることを特徴とする請求項４記載の高濃度試料中のイオン分離分析方法。
【請求項６】
非水溶媒を含む弱酸性の溶離液を使用することを特徴とする請求項１記載の高濃度試料中のイオン分離分析方法。
【請求項７】
非水溶媒が、炭素数１から４のアルコール類、アセトニトリル、アセトン、ジオキサン、テトラヒドロフラン又はジメチルホルムアミドであることを特徴とする請求項６記載の高濃度試料中のイオン分離分析方法。
【発明の詳細な説明】
【技術分野】
【０００１】
本発明は、酸解離定数が２以上の弱酸、糖、アルコール、アミノ酸からなる群より選ばれる１種又は２種以上を高濃度含む水溶液中に共存する１０ｐｐｍ以下の微量な陰イオン及び／又は陽イオンを分離分析する方法に関するものである。
【背景技術】
【０００２】
従来、酸解離定数が２以上の弱酸、糖、アルコール、アミノ酸からなる群より選ばれる１種又は２種以上を含む高濃度の水溶液中に共存する陰イオン及び／又は陽イオンの分離分析には、イオンクロマトグラフィーにより、低交換容量の陰イオン分離カラムと希薄な塩基性水溶液の溶離液を用いて陰イオンを分離分析する方法と、低交換容量の陽イオン分離カラムと希薄な酸性水溶液の溶離液を用いて陽イオンを分離分析する方法が一般的である。しかしながら、酸解離定数が２以上の酢酸、ギ酸、プロピオン酸、グリコール酸、乳酸、フッ酸からなる群より選ばれる１種又は２種以上の弱酸は、共存する陰イオンと近い時間帯に溶出されるため、極めて分離が困難である。そのため、酸解離定数が２以上の弱酸を含む水溶液を希釈して陰イオン分離カラムに供試し、分離分析する方法が一般的である。しかしながら、この方法では、酸解離定数が２以上の弱酸を含む水溶液中に共存する陰イオンも希釈されるため、微量な分析ができないなどの欠点を有している。また、その他の方法としては、陽イオン分離カラムを用いて、そのイオン排除作用を利用し、陰イオンと弱酸を粗分離する工程を経て、その溶出液を陰イオン分離カラムに導入し、そのイオン交換作用で分析する方法が知られている（例えば、非特許文献１）。
【０００３】
しかしながら、この方法は、２本の分離カラムと２種類の溶離液を必要とするため、測定装置が複雑になるなどの欠点を有している。さらに、陰イオンと陽イオンを同時に分離分析する方法が知られている（例えば、特許文献１）。この方法は、酸性雨中の陰イオンと陽イオンを測定した例であり、雨水中に共存する弱酸成分の濃度は、希薄であるため、陰イオンと陽イオンが同時に測定可能となっている。しかしながら、この方法は、弱酸、糖、アルコール、アミノ酸などの高濃度の水溶液中に共存する陰イオンや陽イオンの分離分析ができないなどの欠点を有している。
【０００４】
【特許文献１】特開平５−２２３７９８（請求項１）
【０００５】
【非特許文献１】Ｓｅｐａｒａｔｉｏｎ  Ｓｃｉｅｎｃｅｓ  ２０００  講演要旨  ９５ページ（２０００）
【発明の開示】
【発明が解決しようとする課題】
【０００６】
本発明は、上記の課題を解決するためになされたもので、その目的は、酸解離定数が２以上の弱酸、糖、アルコール、アミノ酸からなる群より選ばれる１種又は２種以上を高濃度含む水溶液中に共存する１０ｐｐｍ以下の微量な陰イオン及び／又は陽イオンの分離分析に関して、１本の分離カラムと１種類の溶離液を用いて、迅速かつ簡便な分離分析方法を提供することにある。
【課題を解決するための手段】
【０００７】
本発明者らは、上記課題を解決するために鋭意検討した結果、弱酸性の陽イオン交換分離カラムと、弱酸性の溶離液又は非水溶媒を含む弱酸性の溶離液を用いることにより、酸解離定数が２以上の弱酸、糖、アルコール、アミノ酸からなる群より選ばれる１種又は２種以上を高濃度含む水溶液中に共存する１０ｐｐｍ以下の微量な陰イオン及び／又は陽イオンの分離分析法を見出し、本発明を完成するに至った。すなわち本発明は、酸解離定数が２以上の弱酸、糖、アルコール、アミノ酸からなる群より選ばれる１種又は２種以上を高濃度含む水溶液中に共存する１０ｐｐｍ以下の微量な陰イオン及び／又は陽イオンを分離分析するに際し、イオンクロマトグラフィーにより、弱酸性の陽イオン交換分離カラムと、弱酸性の溶離液又は非水溶媒を含む弱酸性の溶離液を用いることを特徴とする高濃度試料中のイオン分離分析方法である。
【０００８】
本発明は、上記のようなイオンクロマトグラフィーを用いて分離分析することにより、弱酸性の陽イオン交換分離カラムのイオン排除作用による陰イオンの分離と、イオン交換作用による陽イオンの分離が達成されると考えられる。
【０００９】
以下、本発明を詳細に説明する。
【００１０】
イオンクロマトグラフィーを用いて、酸解離定数が２以上の弱酸、糖、アルコール、アミノ酸からなる群より選ばれる１種又は２種以上を高濃度含む水溶液中に共存する陰イオン及び／又は陽イオンを分離分析する場合、低交換容量の陰イオン分離カラムと希薄な塩基性水溶液の溶離液を用いて陰イオンを分離分析する方法と、低交換容量の陽イオン分離カラムと希薄な酸性水溶液の溶離液を用いて陽イオンを分離分析する方法が一般的である。しかしながら、酸解離定数が２以上の弱酸、特に酢酸、ギ酸、プロピオン酸、グリコール酸、乳酸、フッ酸からなる群より選ばれる１種又は２種以上の濃度が１重量％以上含む水溶液を分離分析する場合、共存する陰イオンと近い時間帯に溶出されるため、極めて分離が困難である。そのため、酸解離定数が２以上の弱酸を含む水溶液を希釈する必要がある。しかしながら、この希釈する方法では、酸解離定数が２以上の弱酸を含む水溶液中に共存する陰イオンも希釈されるため、微量な分析ができない。
【００１１】
本発明は、主要部が送液ポンプ、試料注入バルブ、弱酸性の陽イオン交換分離カラム、電気伝導度検出器の順に接続されているイオンクロマトグラフを用い、弱酸性の溶離液又は非水溶媒を含む弱酸性の溶離液を送液し、酸解離定数が２以上の弱酸、糖、アルコール、アミノ酸からなる群より選ばれる１種又は２種以上を１重量％以上含む水溶液を注入することにより、その水溶液中に共存する１０ｐｐｍ以下の微量な陰イオン及び／又は陽イオンを良好に分離分析する方法である。
【００１２】
本発明において、分離分析する陰イオンとしては、例えば硫酸イオン、塩化物イオン、臭化物イオン、硝酸イオン、リン酸イオン、ヨウ化物イオンなどが挙げられるが、特に硫酸イオン、塩化物イオン、硝酸イオンが良好に分離分析できる。
【００１３】
本発明において、分離分析する陽イオンとしては、例えばナトリウムイオン、アンモニウムイオン、カリウムイオン、マグネシウムイオン、カルシウムイオンなどが挙げられる。
【００１４】
本発明で用いる弱酸性の溶離液としては、酒石酸、酪酸、フタル酸、サリチル酸、クエン酸、スルホサリチル酸が挙げられる。又、これらの酸は、１種又は２種以上を用いることも可能である。又、陽イオン、特にアンモニウムイオンの分離選択性を変える目的で、弱酸性の溶離液に、クラウンエーテルの添加も可能である。
【００１５】
本発明で用いる溶離液中の非水溶媒としては、例えばアセトニトリル、グリセリン、エタノール、メタノール、テトラヒドロフランなどが挙げられるが、特にアセトニトリル、メタノール、エタノールが好ましい。
【００１６】
イオンクロマトグラフィーで用いる弱酸性の陽イオン交換分離カラムは、そのイオン排除作用を利用し、分離分析する陰イオンの価数、酸解離定数に基づいて分離できるものであれば、どのようなものでもよい。又、陽イオンの分離に関しては、弱酸性の陽イオン交換体に対する親和性に基づいて分離できるものであれば、どのようなものでもよい。
【００１７】
本発明で用いる電気伝導度検出器は、イオンクロマトグラフィー用の検出器として広く用いられているものである。この検出器は、イオン交換樹脂カラムから溶出してくる溶離液と試料中の各イオン種が検出器内の測定セル内に設置された一対の電極間を通過する際の電流値を測定するものであり、本発明で用いる酸解離定数が２以上の弱酸、糖、アルコール、アミノ酸を含む高濃度の水溶液中の陰イオンと陽イオンを良好に検出できる。
【発明の効果】
【００１８】
本発明によれば、酸解離定数が２以上の弱酸、糖、アルコール、アミノ酸からなる群より選ばれる１種又は２種以上を１重量％以上含む水溶液中に共存する１０ｐｐｍ以下の陰イオン及び／又は陽イオンを良好に分離分析できる。特に、酸解離定数が２以上の酢酸、ギ酸、プロピオン酸、グリコール酸、乳酸、フッ酸からなる群より選ばれる１種又は２種以上を１重量％以上含む水溶液中に共存する１０ｐｐｍ以下の微量な硫酸イオン、塩化物イオン、硝酸イオンを良好に分離分析できる。
【００１９】
以下、本発明を実施例及び比較例により詳細に説明するが、本発明はこれら実施例のみに限定されるものではない。
【実施例１】
【００２０】
イオンクロマトグラフィーの装置として、送液ポンプ、試料注入バルブ、電気伝導度検出器ポンプ、カラム恒温槽を含む一体型のイオンクロマトグラフ（東ソー株式会社製、商品名ＩＣ−２００１）を用い、弱酸性の陽イオン交換分離カラムとして、内径６．０ｍｍ、長さ１５ｃｍのもの（東ソー株式会社製、商品名ＴＳＫｇｅｌＳｕｐｅｒＩＣ−Ａ／Ｃ）を使用した。又、分離検出された各陰イオンのピーク面積の測定には、データ処理装置ワークステーションＩＣ−ＷＳ（東ソー株式会社製）を用いた。
【００２１】
弱酸性の溶離液として、５．０ｍＭＬ-酒石酸、０．４５ｍＭ５−スルホサリチル酸に、非水溶媒としてアセトニトリルを５容量％添加した水溶液を流速０．６ｍＬ／分で通液した。
【００２２】
試料として、硫酸イオン５ｐｐｍ、塩化物イオン５ｐｐｍ、硝酸イオン５ｐｐｍの混合水溶液３０μＬを該装置に注入し、分離分析を行った。
【００２３】
その結果、硫酸イオンは２．９分、塩化物イオンは３．１分、硝酸イオンは３．４のそれぞれの時間帯に溶出し、良好に分離検出することができた。又、ピーク面積は、硫酸イオン５２．６μＳ・秒、塩化物イオン８０．０μＳ・秒、硝酸イオン４０．９μＳ・秒であった。
【００２４】
次に、試料として、硫酸イオン２５ｐｐｍ、塩化物イオン２５ｐｐｍ、硝酸イオン２５ｐｐｍの混合水溶液と、硫酸イオン１００ｐｐｍ、塩化物イオン１００ｐｐｍ、硝酸イオン１００ｐｐｍの混合水溶液のそれぞれ３０μＬを該装置に注入し、分離分析を行った。
【００２５】
実施例１で分離検出されたすべての陰イオンの濃度とピーク面積との間の関係について検討した結果、各陰イオンにおいて、０から１００ｐｐｍの濃度範囲で良好な直線関係が得られた。
【実施例２】
【００２６】
実施例１で用いたイオンクロマトグラフィー装置、データ処理装置、弱酸性の陽イオン交換分離カラム、弱酸性の溶離液を使用し、流速０．６ｍＬ／分で通液した。
【００２７】
試料として、硫酸イオン５ｐｐｍ、塩化物イオン５ｐｐｍ、硝酸イオン５ｐｐｍを添加した１０重量％酢酸水溶液３０μＬを該装置に注入し、分離分析を行った。
【００２８】
その結果、得られたクロマトグラムを図１に示す。図１から明らかなように、該試料中の各陰イオンを良好に分離検出することができた。検出された各陰イオンのピーク面積は、硫酸イオン５３．５μＳ・秒、塩化物イオン８０．４μＳ・秒、硝酸イオン４１．５μＳ・秒であった。
【００２９】
分離検出された各陰イオンのピーク面積と実施例１で得られた各陰イオンのピーク面積から計算した添加回収率は、硫酸イオン１０１．７％、塩化物イオン１００．５％、硝酸イオン１０１．５％であった。この結果から、１０重量％酢酸水溶液中の各陰イオンは良好に分離分析されていることがわかる。
【実施例３】
【００３０】
実施例１で用いたイオンクロマトグラフィー装置、データ処理装置、弱酸性の陽イオン交換分離カラム、弱酸性の溶離液を使用し、流速０．６ｍＬ／分で通液した。
【００３１】
試料として、１０重量％グリコール酸水溶液３０μＬを該装置に注入し、分離分析を行った。
【００３２】
その結果、硫酸イオンとして、３．１分の時間帯に溶出し、良好に分離検出することができた。実施例１で得られた各陰イオンの濃度とピーク面積との関係から、この硫酸イオンを定量した結果は、１６０ｐｐｂであった。
【実施例４】
【００３３】
実施例１で用いたイオンクロマトグラフィー装置、データ処理装置、弱酸性の陽イオン交換分離カラムと、弱酸性の溶離液として、５．０ｍＭο-フタル酸に、非水溶媒としてアセトニトリルを１０容量％添加した水溶液を流速０．６ｍＬ／分で通液した。
【００３４】
試料として、硫酸イオン５ｐｐｍ、塩化物イオン５ｐｐｍ、硝酸イオン５ｐｐｍを添加した１０重量％酢酸水溶液３０μＬを該装置に注入し、分離分析を行った。
【００３５】
その結果、硫酸イオンは２．９分、塩化物イオンは３．１分、硝酸イオンは３．３のそれぞれの時間帯に溶出し、良好に分離検出することができた。
【実施例５】
【００３６】
実施例１で用いたイオンクロマトグラフィー装置、データ処理装置、弱酸性の陽イオン交換分離カラムと、弱酸性の溶離液として、５．０ｍＭＬ-酒石酸、０．４５ｍＭ５−スルホサリチル酸、６ｍＭ１８−クラウン６−エーテルに、非水溶媒としてアセトニトリルを５容量％添加した水溶液を流速０．６ｍＬ／分で通液した。
【００３７】
試料として、硫酸イオン５ｐｐｍ、塩化物イオン５ｐｐｍ、硝酸イオン５ｐｐｍの混合水溶液３０μＬを該装置に注入し、分離分析を行った。
【００３８】
その結果、硫酸イオンは２．９分、塩化物イオンは３．１分、硝酸イオンは３．４のそれぞれの時間帯に溶出し、良好に分離検出することができた。又、ピーク面積は、硫酸イオン５３．０μＳ・秒、塩化物イオン７９．７μＳ・秒、硝酸イオン４２．７μＳ・秒であった。
【００３９】
次に、試料として、硫酸イオン２５ｐｐｍ、塩化物イオン２５ｐｐｍ、硝酸イオン２５ｐｐｍの混合水溶液と、硫酸イオン１００ｐｐｍ、塩化物イオン１００ｐｐｍ、硝酸イオン１００ｐｐｍの混合水溶液のそれぞれ３０μＬを該装置に注入し、分離分析を行った。
【００４０】
実施例５で分離検出されたすべての陰イオンの濃度とピーク面積との間の関係について検討した結果、各陰イオンにおいて、０から１００ｐｐｍの濃度範囲で良好な直線関係が得られた。
【実施例６】
【００４１】
実施例５で用いたイオンクロマトグラフィー装置、データ処理装置、弱酸性の陽イオン交換分離カラム、弱酸性の溶離液を使用し、流速０．６ｍＬ／分で通液した。
【００４２】
試料として、ナトリウムイオン２ｐｐｍ、アンモニウムイオン２ｐｐｍ、カリウムイオン２ｐｐｍ、マグネシウムイオン２ｐｐｍ、カルシウムイオン２ｐｐｍの混合水溶液３０μＬを該装置に注入し、分離分析を行った。
【００４３】
その結果、ナトリウムイオンは７．６分、アンモニウムイオンは８．３分、カリウムイオンは１１．０分、マグネシウムイオンは１４．２分、カルシウムイオンは１７．６分のそれぞれの時間帯に溶出し、良好に分離検出することができた。又、ピーク面積は、ナトリウムイオン５０．６μＳ・秒、アンモニウムイオン５０．９μＳ・秒、カリウムイオン２３．３μＳ・秒、マグネシウムイオン６８．２μＳ・秒、カルシウムイオン４０．５μＳ・秒であった。
【００４４】
次に、試料として、ナトリウムイオン５０ｐｐｍ、アンモニウムイオン５０ｐｐｍ、カリウムイオン５０ｐｐｍ、マグネシウムイオン５０ｐｐｍ、カルシウムイオン５０ｐｐｍの混合水溶液と、ナトリウムイオン１００ｐｐｍ、アンモニウムイオン１００ｐｐｍ、カリウムイオン１００ｐｐｍ、マグネシウムイオン１００ｐｐｍ、カルシウムイオン１００ｐｐｍの混合水溶液のそれぞれ３０μＬを該装置に注入し、分離分析を行った。
【００４５】
実施例６で分離検出されたすべての陽イオンの濃度とピーク面積との間の関係について検討した結果、各陽イオンにおいて、０から１００ｐｐｍの濃度範囲で良好な直線関係が得られた。
【実施例７】
【００４６】
実施例５で用いたイオンクロマトグラフィー装置、データ処理装置、弱酸性の陽イオン交換分離カラム、弱酸性の溶離液を使用し、流速０．６ｍＬ／分で通液した。
【００４７】
試料として、黒砂糖の５重量％水溶液３０μＬを該装置に注入し、分離分析を行った。
【００４８】
その結果、得られたクロマトグラムを図２に示す。図２のクロマトグラムにおいては、データ処理装置により、４．１分から検出器の極性を反転させ、負のピークを正のピークとして記録した。図２から明らかなように、該試料中の陰イオンと陽イオンを良好に分離検出することができた。
【００４９】
実施例５で得られた各陰イオンの濃度とピーク面積との関係、実施例６で得られた各陽イオンの濃度とピーク面積との関係のそれぞれの関係から、実施例７で分離検出された各陰イオン及び各陽イオンを定量した結果は、硫酸イオン１２．１ｐｐｍ、塩化物イオン９．７ｐｐｍ、ナトリウムイオン１．２ｐｐｍ、カリウムイオン１８．５ｐｐｍ、マグネシウムイオン１．４ｐｐｍ、カルシウムイオン４．１ｐｐｍであった。
【００５０】
比較例１
実施例１で用いたイオンクロマトグラフィー装置、データ処理装置と、低交換容量の陰イオン分離カラムとして、東ソー株式会社製のＴＳＫｇｅｌＳｕｐｅｒＩＣ−ＡＰ（内径４．６ｍｍ、長さ１５ｃｍ）を使用した。溶離液として、２．９ｍＭ炭酸水素ナトリウム、３．１ｍＭ炭酸ナトリウムの混合水溶液を用い、流速０．８ｍＬ／分で通液した。
【００５１】
実施例２で用いた試料３０μＬを該装置に注入し、分離分析を行った。
その結果、６分から１４分の時間帯に酢酸イオンが溶出し、硫酸イオン、塩化物イオン、硝酸イオンは、分離検出できなかった。
【００５２】
比較例２
比較例１で用いたイオンクロマトグラフィー装置、データ処理装置と、低交換容量の陰イオン分離カラム、溶離液を使用し、流速０．８ｍＬ／分で通液した。
【００５３】
実施例３で用いた試料３０μＬを該装置に注入し、分離分析を行った。
【００５４】
その結果、６分から１４分の時間帯にグリコール酸イオンが溶出し、硫酸イオンは、分離検出できなかった。
【産業上の利用可能性】
【００５５】
発明によれば、酸解離定数が２以上の弱酸、糖、アルコール、アミノ酸からなる群より選ばれる１種又は２種以上を１重量％以上含む水溶液中に共存する１０ｐｐｍ以下の陰イオン及び／又は陽イオンを良好に分離分析できる。酸解離定数が２以上の弱酸、糖、アルコール、アミノ酸からなる群より選ばれる１種又は２種以上を含む水溶液としては、食品関係の試料が多く、特に発酵工業、醸造工業、製糖工業などの分野への応用が期待できる。
【図面の簡単な説明】
【００５６】
【図１】実施例２により、硫酸イオン１０ｐｐｍ、塩化物イオン１０ｐｐｍ、硝酸イオン１０ｐｐｍを添加した１０重量％酢酸水溶液を分離分析して得られたクロマトグラムを示す。
【図２】実施例７により、黒砂糖の５重量％水溶液を分離分析して得られたクロマトグラムを示す。
【図１】
2005127739.tif 000003
【図２】
2005127739.tif 000004